(57)【要約】      （修正有）【課題】  各顧客のニーズに即した、建築基材の多品種少量生産を可能にし、顧客がデザイン選定作業を行う際の時間的なロスをなくし、かつ、在庫管理の負担が少なくなる建築基材のオンライン受注システムを提供する。【解決手段】  顧客のクライアント装置から建築基材の注文を受け付けるサーバ装置を含んだオンライン受注システムであって、サーバ装置は、顧客情報、建築基材のデザインデータ、受注情報を記憶するオンライン受注ＤＢと、クライアント装置に、前記デザインデータに基づいて建築基材のデザインを選定させるデザイン選定手段と、クライアント装置から、選定したデザインの建築基材の製造を受注し、オンライン受注ＤＢに受注情報として記憶する受注管理手段と、オンライン受注ＤＢの受注情報に基づいて、受注した建築基材の製造を行わせる製造管理手段とを備えているシステム。【選択図】  図１Ａ
2005050237.tif 000002
【特許請求の範囲】
【請求項１】
顧客が有するクライアント装置から印刷体の注文を受け付けるサーバ装置を含んだオンライン受注システムであって、
前記サーバ装置は、
顧客情報、印刷体のデザインデータ、及び受注情報を記憶するオンライン受注データベースと、
クライアント装置に対して、前記デザインデータに基づいて印刷体のデザインを選定させるデザイン選定手段と、
クライアント装置から、前記選定されたデザインの印刷体の製造を受注し、前記オンライン受注データベースに受注情報として記憶する受注管理手段と、
前記オンライン受注データベースの受注情報に基づいて、前記受注した印刷体の製造を行わせる製造管理手段と、
を備えているオンライン受注システム
【請求項２】
前記サーバ装置は、さらに、前記オンライン受注データベースの顧客情報に基づいて、製造した印刷体を発注元の顧客に配送させる配送管理手段を備えていることを特徴とする請求項１に記載のオンライン受注システム。
【請求項３】
前記受注管理手段は、印刷体の試作品及び本製品のいずれかの製造を受注可能であり、
前記製造管理手段は、印刷体の試作品及び本製品のいずれかの製造を行わせることができることを特徴とする請求項１又は２に記載のオンライン受注システム。
【請求項４】
顧客が有するクライアント装置から建築基材の注文を受け付けるサーバ装置を含んだオンライン受注システムであって、
前記サーバ装置は、
顧客情報、建築基材のデザインデータ、及び受注情報を記憶するオンライン受注データベースと、
クライアント装置に対して、前記デザインデータに基づいて建築基材のデザインを選定させるデザイン選定手段と、
クライアント装置から、前記選定されたデザインの建築基材の製造を受注し、前記オンライン受注データベースに受注情報として記憶する受注管理手段と、
前記オンライン受注データベースの受注情報に基づいて、前記受注した建築基材の製造を行わせる製造管理手段と、
を備えているオンライン受注システム。
【請求項５】
前記サーバ装置は、さらに、前記オンライン受注データベースの顧客情報に基づいて、製造した建築基材を発注元の顧客に配送させる配送管理手段を備えていることを特徴とする請求項４に記載のオンライン受注システム。
【請求項６】
前記受注管理手段は、建築基材の試作品及び本製品のいずれかの製造を受注可能であり、
前記製造管理手段は、建築基材の試作品及び本製品のいずれかの製造を行わせることができることを特徴とする請求項４又は５に記載のオンライン受注システム。
【請求項７】
前記オンライン受注データベースは建築物データを記憶しており、
前記サーバ装置は、さらに、前記選定された建築基材のデザインを、前記建築物データに組み合わせた施工イメージをクライアント装置に提供する施工シミュレーション手段を備えていることを特徴とする請求項４から６のいずれか１項に記載のオンライン受注システム。
【請求項８】
前記サーバ装置は、クライアント装置から、建築物データを受信し、前記オンライン受注データベースに記憶させることができることを特徴とする請求項７に記載のオンライン受注システム。
【請求項９】
前記サーバ装置は、クライアント装置から、建築基材のデザインデータを受信し、前記オンライン受注データベースに記憶させることができることを特徴とする請求項４から８のいずれか１項に記載のオンライン受注システム。
【請求項１０】
前記サーバ装置は、さらに、前記受注した建築基材の製造及び配送の進捗状況を、前記オンライン受注データベースにおいて記憶しており、
クライアント装置に対して、前記進捗状況を通知することができることを特徴とする請求項５から９のいずれか１項に記載のオンライン受注システム。
【請求項１１】
前記印刷体又は建築基材は、インクジェット印刷装置により印刷されて製造されることを特徴とする請求項１から１０のいずれか１項に記載のオンライン受注システム。
【請求項１２】
顧客情報、印刷体のデザインデータ、及び受注情報を記憶しているサーバ装置において、顧客が有するクライアント装置から印刷体の注文を受け付けるオンライン受注プログラムであって、
クライアント装置に対して、前記デザインデータに基づいて印刷体のデザインを選定させるデザイン選定ステップと、
クライアント装置から、前記選定されたデザインの印刷体の製造を受注し、受注情報として前記サーバ装置に記憶させる受注管理ステップと、
前記受注情報に基づいて、前記受注した印刷体の製造を行わせる製造管理ステップと、
を備えているオンライン受注プログラム。
【請求項１３】
前記顧客情報に基づいて、製造した印刷体を発注元の顧客に配送させる配送管理ステップをさらに備えていることを特徴とする請求項１２に記載のオンライン受注プログラム。
【請求項１４】
前記受注管理ステップは、印刷体の試作品及び本製品のいずれかの製造を受注可能であり、
前記製造管理ステップは、印刷体の試作品及び本製品のいずれかの製造を行わせることができることを特徴とする請求項１２又は１３に記載のオンライン受注プログラム。
【請求項１５】
顧客情報、建築基材のデザインデータ、及び受注情報を記憶しているサーバ装置において、顧客が有するクライアント装置から建築基材の注文を受け付けるオンライン受注プログラムであって、
クライアント装置に対して、前記デザインデータに基づいて建築基材のデザインを選定させるデザイン選定ステップと、
クライアント装置から、前記選定されたデザインの建築基材の製造を受注し、受注情報として前記サーバ装置に記憶させる受注管理ステップと、
前記受注情報に基づいて、前記受注した建築基材の製造を行わせる製造管理ステップと、
を備えているオンライン受注プログラム。
【請求項１６】
前記顧客情報に基づいて、製造した建築基材を発注元の顧客に配送させる配送管理ステップをさらに備えていることを特徴とする請求項１５に記載のオンライン受注プログラム。
【請求項１７】
前記受注管理ステップは、建築基材の試作品及び本製品のいずれかの製造を受注可能であり、
前記製造管理ステップは、建築基材の試作品及び本製品のいずれかの製造を行わせることができることを特徴とする請求項１５又は１６に記載のオンライン受注プログラム。
【請求項１８】
前記サーバ装置は建築物データを記憶しており、
前記選定された建築基材のデザインを、前記建築物データに組み合わせた施工イメージをクライアント装置に提供する施工シミュレーションステップを備えていることを特徴とする請求項１５から１７のいずれか１項に記載のオンライン受注プログラム。
【請求項１９】
クライアント装置から、建築物データを受信し、前記サーバ装置に記憶させることができることを特徴とする請求項１８に記載のオンライン受注システム。
【請求項２０】
クライアント装置から、建築基材のデザインデータを受信し、前記サーバ装置に記憶させることができることを特徴とする請求項１５から１９のいずれか１項に記載のオンライン受注プログラム。
【請求項２１】
前記サーバ装置は、前記受注した建築基材の製造及び配送の進捗状況を記憶しており、
クライアント装置に対して、前記進捗状況を通知するステップを備えていることを特徴とする請求項１６から２０のいずれか１項に記載のオンライン受注プログラム。
【発明の詳細な説明】
【技術分野】
【０００１】
本発明は、建築基材のオンライン受注システムに関し、特に、顧客の所望のデザインによるフルカラーインクジェット印刷を施された建築基材の生産及び販売を、ネットワークを通じてオンラインで受注するコンピュータシステムに関するものである。
【背景技術】
【０００２】
建築基材とは、家屋などの建築に用いる外壁材、屋根材、床材、内装材などの主に板状の基材をいうものである。
【０００３】
一般的に、このような建築基材の表面にデザインを付するためには、専用の印刷装置を用いて、建築基材表面に模様等を印刷する方法が知られている。
【０００４】
特許文献１に開示されている「化粧板用印刷基材の製造方法」は、基材に印刷する元画像データを、電子情報処理装置によりデジタルデータ化し、望ましい解像度を有するように画像処理を行った後、電子情報処理装置に接続されたプリンタにより、基材への印刷を行うことを特徴としている。
【０００５】
これにより、多種多様な元画像データを、その種類に応じて処理でき、ユーザーオリジナルの印刷基材を製造することが可能となる。また、印刷版を作る必要がないので低コストで、多品種少量生産が可能となっている。
【０００６】
上記したように、建築基材のデザインをデジタルデータとして取り扱うことが可能になると、これをコンピュータの画像処理装置等を用いて家屋イメージに貼り付けるシミュレーションが可能となり、また、電子データ化されたデザインパターンを、コンピュータネットワークを通じて送受信することも可能となる。
【０００７】
特許文献２に開示されている「サーバ装置、クライアント装置及び記録媒体」は、インターネットを通じて接続されたクライアント装置及びサーバ装置から構成されるシステムであって、サーバ装置は、各種建材の画像データを記憶した建材データベースを備えることにより、クライアント装置側から建材のデザインを仮想的にカスタマイズすることを可能にしたことを特徴としている。
【０００８】
これにより、顧客が、クライアント装置を用いて、所望の建材を選択指定することで、それら指定したものを貼り付けた家屋画像イメージが表示されるようになっている。
【０００９】
ところで、このような建築基材への模様等の印刷を考える場合に、一般的な事務機器分野で用いられているインクジェットプリンタ等をそのまま用いても、解像度や印刷速度などの点において問題が生じてしまうため、建築基材の印刷に特化した印刷装置が開発されている。
【００１０】
特許文献３に開示されている「建築板印刷装置」は、それぞれがイエロー（Ｙ）、マゼンタ（Ｍ）、シアン（Ｃ）、ブラック（Ｋ）の各色のインクを噴射するノズルアレイを一列に有する複数の印刷ヘッドを、１色分ずつ、ずらして副走査方向へ順次配置したことを特徴としている。
【００１１】
これにより、副走査方向に隣接する４個の印刷ヘッドによって、４色のインクを順次印刷することができる。副走査方向において異なる色の印刷間隔を短くすることができるので、搬送される建築板に対して色ずれの少ない高品質の印刷を行うことができる。また、印刷のスピードを高速化し、少ないノズル数で大きなサイズの建築板を印刷することが可能となっている。
【００１２】
【特許文献１】特開２００３−１３６５０３号公報（図１参照）。
【特許文献２】特開２００２−４１８７９号公報（図１０参照）。
【特許文献３】特開２００２−２４８７４７号公報（図１参照）。
【発明の開示】
【発明が解決しようとする課題】
【００１３】
ところで、上記したような建築基材の流通形態は、建材メーカーが用意した製品のカタログを住宅供給業者が選定し、住宅全体のデザインとしてコーディネイトするのが一般的であった。あるいは、住宅の施主自身が建材の選定を行う場合もあるが、その場合にも、建材メーカーが用意した製品のカタログから、好みの建材を選択し、組み合わせたデザインを発注することになる。
【００１４】
このように、顧客（住宅供給業者又は施主）は、建材メーカーが予め用意してある製品の範囲内でしか選択を行うことができず、顧客の要望するデザインが完全に実現されるというわけではないのが現状である。
【００１５】
当然、顧客が独自にデザインした建材を用いて住宅を建築したいと望むことが考えられる。例えば、店舗経営者が住宅供給者に店舗の建築・改装等を依頼する場合には、外壁材、内装材等の建材に、店舗名やロゴなどのデザインを付したり、建材メーカーの製品カタログにない模様や色彩を付したりするのを望むことも予想される。
【００１６】
しかしながら、上記したように、従来の建築基材の流通形態では、このようなニーズに対応できていなかった。建材メーカーは、顧客の多種多様なニーズに応えるべく努力するものの、製造コストの増大や、在庫管理の煩雑化などの問題をクリアしなければならず、おのずと限界があった。
【００１７】
したがって、上記したような各顧客のニーズに即した、建築基材の多品種少量生産を行うことが可能になれば、建材メーカーにとっては、他社製品と差別化を図ることができ、顧客にとっては、自分の好みを最大限反映した建築基材を用いて、住宅の建築・改装を行うことができることになる。
【００１８】
一方で、顧客が建築基材を注文、購入する際には、製品サンプルを現物で確認するのが一般的である。このため、営業マンが顧客に対して、製品サンプルや、その製品を用いた住宅のパース図などを提示して打ち合わせるといった作業を経なければならず、建材メーカーにとっては、受注するまでに多大な時間がかかっていた。
【００１９】
また、製品のデザインが顧客の要望に合わない場合は、再度サンプルを作り直すことになるが、塗料メーカーなどに塗料の作り直しを依頼したり、再度専用の塗装機を用いて塗装をし直したりしなければならず、時間的なロスが非常に大きかった。
【００２０】
他方で、建材メーカーはこれまで、カタログ上の製品を在庫量に応じて大量に製造し、製品のサンプルを各営業所や物流拠点に保管していたので、製品の在庫過多や品種の入れ替えなどにより広大なサンプルのストック場所を確保する必要が生じ、また、逆に販売好調時には納品待ちが生じる恐れがあるという、在庫管理上の問題を抱えていた。
【００２１】
そこで、本発明は、このような実情に鑑みてなされたものであり、各顧客のニーズに即した、建築基材の多品種少量生産を可能にし、顧客がデザイン選定作業を行う際に時間的なロスを発生させることがなく、かつ、在庫管理の負担を軽減することが可能な建築基材のオンライン受注システムを提供しようとするものである。
【課題を解決するための手段】
【００２２】
上記解決課題に鑑みて鋭意研究の結果、本発明者は、顧客の所望のデザインによるフルカラーインクジェット印刷を施された建築基材の生産及び販売を、ネットワークを通じてオンラインで受注するクライアント−サーバ形式のコンピュータシステムを以下に示すように構築することに想到した。
【００２３】
すなわち、本発明は、顧客が有するクライアント装置から印刷体の注文を受け付けるサーバ装置を含んだオンライン受注システムであって、前記サーバ装置は、顧客情報、印刷体のデザインデータ、及び受注情報を記憶するオンライン受注データベースと、クライアント装置に対して、前記デザインデータに基づいて印刷体のデザインを選定させるデザイン選定手段と、クライアント装置から、前記選定したデザインの印刷体の製造を受注し、前記オンライン受注データベースに受注情報として記憶する受注管理手段と、前記オンライン受注データベースの受注情報に基づいて、前記受注した印刷体の製造を行わせる製造管理手段と、を備えていることを特徴とするオンライン受注システムを提供するものである。
【００２４】
このようなシステムにより、顧客がオンラインでデザインを選定し、その選定したデザインの印刷体の製造を指示することが可能となる。
【００２５】
ここで、本発明のオンライン受注システムが適用可能な印刷体には、プラスチック、金属製の看板や標識、あるいは布、紙、プラスチック製のクロス、またはクロス貼りの製品などが挙げられる。これらの略板状の材料に、前記サーバ装置に保持されているデザインデータに基づいた印刷を行うことにより、所望のデザインの製品が製造される。
【００２６】
本発明のオンライン受注システムにおいて、前記サーバ装置は、さらに、前記オンライン受注データベースの顧客情報に基づいて、製造した印刷体を発注元の顧客に配送させる配送管理手段を備えていることを特徴とする。
【００２７】
これにより、製造した印刷体を顧客宛てに配送する段階までを自動化することが可能となる。
【００２８】
本発明のオンライン受注システムにおいて、前記受注管理手段は、印刷体の試作品及び本製品のいずれかの製造を受注可能であり、前記製造管理手段は、印刷体の試作品及び本製品のいずれかの製造を行わせることができることを特徴とする。
【００２９】
顧客は、デザインの選定を行うと、そのデザインを実際に施した製品を手にとって確認することを望むので、本システムでは、顧客が選定したデザインを施した印刷体の試作品の製造を受け付けることにしている。
【００３０】
本発明は、また、顧客が有するクライアント装置から建築基材の注文を受け付けるサーバ装置を含んだオンライン受注システムであって、前記サーバ装置は、顧客情報、建築基材のデザインデータ、及び受注情報を記憶するオンライン受注データベースと、クライアント装置に対して、前記デザインデータに基づいて建築基材のデザインを選定させるデザイン選定手段と、クライアント装置から、前記選定したデザインの建築基材の製造を受注し、前記オンライン受注データベースに受注情報として記憶する受注管理手段と、前記オンライン受注データベースの受注情報に基づいて、前記受注した建築基材の製造を行わせる製造管理手段と、を備えていることを特徴とするオンライン受注システムを提供するものである。
【００３１】
本発明のオンライン受注システムにおいて、前記サーバ装置は、さらに、前記オンライン受注データベースの顧客情報に基づいて、製造した建築基材を発注元の顧客に配送させる配送管理手段を備えていることを特徴とする。
【００３２】
本発明のオンライン受注システムにおいて、前記受注管理手段は、建築基材の試作品及び本製品のいずれかの製造を受注可能であり、前記製造管理手段は、建築基材の試作品及び本製品のいずれかの製造を行わせることができることを特徴とする。
【００３３】
本発明のオンライン受注システムにおいて、前記オンライン受注データベースは建築物データを記憶しており、前記サーバ装置は、さらに、前記選定された建築基材のデザインを、前記建築物データに組み合わせた施工イメージをクライアント装置に提供する施工シミュレーション手段を備えていることを特徴とする。
【００３４】
これにより、建築基材単体のデザインを考慮するのみならず、それを適用する住宅などの建築物のイメージとマッチングした施工イメージを検討することにより、顧客は自己の要望により適応した建築基材デザインを選定することが可能となる。
【００３５】
本発明のオンライン受注システムにおいて、前記サーバ装置は、クライアント装置から、建築物データを受信し、前記オンライン受注データベースに記憶させることができることを特徴とする。
【００３６】
建築物データは、サーバ装置において予め用意してあるものを利用する他に、顧客自身が所有する建築物のデータ（設計データ、建築図面（平面図、立面図、パース図等）データ、仕様データなど）をサーバ装置にアップロードして、上記施工シミュレーション手段による施工イメージの作成に利用できるようにするのが好ましい。
【００３７】
本発明のオンライン受注システムにおいて、前記サーバ装置は、クライアント装置から、建築基材のデザインデータを受信し、前記オンライン受注データベースに記憶させることができることを特徴とする。
【００３８】
建築基材のデザインデータも、建築物データと同様に、顧客自身が所有するものをサーバ装置にアップロードして、利用できるようにするのが好ましい。
【００３９】
本発明のオンライン受注システムにおいて、前記サーバ装置は、さらに、前記受注した建築基材の製造及び配送の進捗状況を、前記オンライン受注データベースにおいて記憶しており、クライアント装置に対して、前記進捗状況を通知することができることを特徴とする。
【００４０】
これにより、顧客は、自己が注文した製品の進捗情報を、いつでも把握することが可能となる。
【００４１】
本発明のオンライン受注システムにおいて、前記印刷体又は建築基材は、インクジェット印刷装置により印刷されて製造されることを特徴とする。
【００４２】
これにより、従来のように個別の生産ラインや多種類の塗料を準備せずとも、あらゆるデザインを施した建築基材を製造することができるため、建築基材の多品種少量生産が可能となる。
【００４３】
本発明は、また、顧客情報、印刷体のデザインデータ、及び受注情報を記憶しているサーバ装置において、顧客が有するクライアント装置から印刷体の注文を受け付けるオンライン受注プログラムであって、クライアント装置に対して、前記デザインデータに基づいて印刷体のデザインを選定させるデザイン選定ステップと、クライアント装置から、前記選定されたデザインの印刷体の製造を受注し、受注情報として前記サーバ装置に記憶させる受注管理ステップと、前記受注情報に基づいて、前記受注した印刷体の製造を行わせる製造管理ステップと、を備えていることを特徴とするオンライン受注プログラムを提供するものである。
【００４４】
本発明のオンライン受注プログラムは、前記顧客情報に基づいて、製造した印刷体を発注元の顧客に配送させる配送管理ステップをさらに備えていることを特徴とする。
【００４５】
本発明のオンライン受注プログラムにおいて、前記受注管理ステップは、印刷体の試作品及び本製品のいずれかの製造を受注可能であり、前記製造管理ステップは、印刷体の試作品及び本製品のいずれかの製造を行わせることができることを特徴とする。
【００４６】
本発明は、また、顧客情報、建築基材のデザインデータ、及び受注情報を記憶しているサーバ装置において、顧客が有するクライアント装置から建築基材の注文を受け付けるオンライン受注プログラムであって、クライアント装置に対して、前記デザインデータに基づいて建築基材のデザインを選定させるデザイン選定ステップと、クライアント装置から、前記選定されたデザインの建築基材の製造を受注し、受注情報として前記サーバ装置に記憶させる受注管理ステップと、前記受注情報に基づいて、受注した建築基材の製造を行わせる製造管理ステップと、を備えていることを特徴とするオンライン受注プログラムを提供するものである。
【００４７】
本発明のオンライン受注プログラムは、前記顧客情報に基づいて、製造した建築基材を発注元の顧客に配送させる配送管理ステップをさらに備えていることを特徴とする。
【００４８】
本発明のオンライン受注プログラムにおいて、前記受注管理ステップは、建築基材の試作品及び本製品のいずれかの製造を受注可能であり、前記製造管理ステップは、建築基材の試作品及び本製品のいずれかの製造を行わせることができることを特徴とする。
【００４９】
本発明のオンライン受注プログラムにおいて、前記サーバ装置は建築物データを記憶しており、前記選定された建築基材のデザインを、前記建築物データに組み合わせた施工イメージをクライアント装置に提供する施工シミュレーションステップを備えていることを特徴とする。
【００５０】
本発明のオンライン受注プログラムは、クライアント装置から、建築物データを受信し、前記サーバ装置に記憶させることができることを特徴とする。
【００５１】
本発明のオンライン受注プログラムは、クライアント装置から、建築基材のデザインデータを受信し、前記サーバ装置に記憶させることができることを特徴とする。
【００５２】
本発明のオンライン受注プログラムにおいて、前記サーバ装置は、前記受注した建築基材の製造及び配送の進捗状況を記憶しており、クライアント装置に対して、前記進捗状況を通知するステップを備えていることを特徴とする。
【発明の効果】
【００５３】
以上、説明したように、本発明の建築基材のオンライン受注システムによれば、インクジェット印刷により製造した建築基材の多品種少量生産が可能となり、顧客の要求に柔軟に応じた製品の提供を行うことができる。
【００５４】
特に、以下に説明する本発明のオンライン受注システムの最良の実施形態においては、顧客がオンラインで選定した建築基材デザインの画像データを、ＣＭＹＫ４原色を用いたフルカラーインクジェット印刷装置により印刷するので、建材メーカーは、４原色の塗料のみを準備しておけば足りることになり、塗料のコストを低減し、かつ、塗料在庫を低減させることができる。
【００５５】
また、建築基材の原材料も必要最低限を準備しておけば済むため、建築基材の塗装前製品（原板）在庫、製品在庫をストックしておく必要が生じない。
【００５６】
また、顧客が一度選定した建築基材デザインを作り直すことになった場合にも、オンラインで建築基材デザインデータ（画像データ）の修正を行うだけでよいので、従来のように塗料の作り直しや複数色の専用塗装機を使用する必要がなくなり、時間的ロスや物理的ロスがなくなり、迅速な試作品／本製品の供給が可能となる。
【００５７】
また、従来のように顧客と営業マンとの間での打ち合わせを繰り返し行う必要もなくなるため、短時間かつ容易に製品の提案、選定ができる。
【００５８】
また、顧客自身が有する建築基材のデザインデータや建築物データを、建材メーカーのサーバ装置にアップロードすることができるため、顧客所有の建築物に適応した製品をデザインし、製造するシステムが提供される。
【００５９】
さらには、オンライン受注データベースにおいて、顧客情報を一括管理することにより、顧客支援や情報提供などの付加的サービスにより、顧客満足度の向上を図ることも可能である。また、オンライン受注データベースに記憶された各顧客のシステム利用履歴などから、顧客ニーズを直接収集することができるので、これをマーケティング展開などの経営戦略に活用することも可能である。
【発明を実施するための最良の形態】
【００６０】
以下、添付図面を参照しながら、本発明の実施の形態を詳細に説明する。
図１〜図１０は、本発明の建築基材のオンライン受注システムを実施するための最良の形態を例示する図であり、これらの図において、同一の符号を付した部分は同一物を表わし、基本的な構成及び動作は同様であるものとする。
【００６１】
[１] オンライン受注システムの全体構成
図１Ａは、本発明のオンライン受注システムの一実施形態について、そのシステム構成例を概略的に示す図である。
【００６２】
図１Ａにおいて、本実施形態のオンライン受注システムは、建材メーカー１００と、住宅供給業者１１０とから構成されている。
【００６３】
住宅供給業者１１０は、建設業者、工務店などの住宅を建設して一般消費者等に販売する事業者であり、住宅建設に用いる建築基材を建材メーカー１００から購入する。
【００６４】
建材メーカー１００は、建築基材の製造、販売を行うメーカーであり、顧客である住宅供給業者１１０に対して建築基材を販売する。建材メーカー１００は、その内部において、建築基材の表面に所定のデザインを印刷した建築基材を製造するための印刷装置１２２と、製造した建築機材を発注元である住宅供給業者１１０の所定の宛先に配送する配送センター１３０とを備えている。
【００６５】
印刷装置１２２は、例えば、特許文献３に記載の建築板印刷装置を用いることができる。この建築板印刷装置は、それぞれがイエロー（Ｙ）、マゼンタ（Ｍ）、シアン（Ｃ）、ブラック（Ｋ）の各色のインクを噴射するノズルアレイを一列に有する複数の印刷ヘッドを、１色分ずつ、ずらして副走査方向へ順次配置したことを特徴としている。
【００６６】
これにより、副走査方向に隣接する４個の印刷ヘッドによって、４色のインクを順次印刷することができる。副走査方向において異なる色の印刷間隔を短くすることができるので、搬送される建築板に対して色ずれの少ない高品質の印刷を行うことができる。また、印刷のスピードを高速化し、少ないノズル数で大きなサイズの建築板を印刷することが可能となっている。
【００６７】
また、本実施形態のオンライン受注システムでは、特に建築基材表面の印刷を良好に行うための技術として、以下（１）〜（７）に示すような特徴を備えた印刷装置を印刷装置１２２として適用することができる。
【００６８】
（１）建築板を一定速度で搬送させるとともに、複数の印刷ヘッドを所定ピッチで主走査方向に配列し、ノズルアレイは副走査方向に所定間隔で複数列平行に配列し、印刷ヘッドは千鳥状に配列することにより、印刷ヘッドの数や設置面積が低減され、インク相互の汚染が回避される。
【００６９】
（２）カラーインクヘッドと透明或いは淡色ヘッドとを用い、２つのインクドット間に透明インクを打点して疑似二次ドットを形成しながら、建築板を搬送しヘッドを下方に順次走行させる。これにより、建築板の走行に伴い発生する空気流の影響を受けない程度の大きなドット径で噴射しなければならないという制約を受けずに、ドット間のピッチを狭めた高解像度での印刷を行うことができる。また、建築板の走行精度のバラツキ要因による着弾位置のズレを誤差範囲内に納めることができる。
【００７０】
（３）建築板を等速度で搬送させながらインクジェットノズルからの噴射タイミングを制御して印刷する装置において、ドットに同一色のインク滴を重ねて着弾させる。これにより、階調表現が可能となる。
【００７１】
（４）ノズルアレイを選択使用して印刷ドットの大きさ及びピッチを変更する。ヘッド内にあるＣＭＹＫノズルアレイ群は複数のノズル径と複数のノズルピッチを有するように構成する。これにより、解像度の異なる印刷部分ができるため、独特な意匠外観を得ることができる。
【００７２】
（５）意匠面の形状をレーザー計測器で計測し、意匠面の所定領域毎に被印刷面と固定ノズルとの距離および被印刷面の傾斜度をデータ化する。被印刷面と固定ノズルとの距離を区分し、距離が長いほどインク滴の噴射速度を高める。印刷解像度も柄の傾斜角に応じて変更する。これにより、凹凸のある建築板を一定速度で搬送して、高精度で高品質の印刷を行うことができる。
【００７３】
（６）インクジェット印刷を、横方向はノズル配列ピッチで固定化し、縦方向は制御着弾位置をランダムに選択する。また、インクジェットノズルからの吐出時刻を本来の吐出時刻に対してランダムに変化させる。これにより、被印刷体であるセメント板に厚みのバラツキがある場合であっても、その印刷品質を損なうことなく、インクジェットフルカラー工業印刷を高速で安定に実現することができる。
【００７４】
（７）建築板の柄部の進行方向とのズレ角度に基づいて柄データを回転変換して新たな柄データとしてインクジェット噴射を制御する。これにより、正確に裁断することができなかった建築板についても、各建築板の柄部に均一にインクジェット印刷を施すことができる。
【００７５】
図１に示すように、建材メーカー１００は、本実施形態のオンライン受注システムの諸機能を実現するためのサーバ装置１０１を備えている。また、住宅供給業者１１０は、建材メーカー１００のサーバ装置１０１からサービスを受けるためのクライアント装置１１１を備えている。このクライアント装置１１１は、一般的なパーソナルコンピュータ等により構成することができる。
【００７６】
これらのサーバ装置１０１及びクライアント装置１１１は、通信回線を通じて通信する手段を備えている。この通信手段により、住宅供給業者１１０のクライアント装置１１１は、インターネット等のネットワーク１４０を通じて、建材メーカー１００のサーバ装置１０１と通信できるようになっている。
【００７７】
尚、クライアント装置１１１とサーバ装置１０１との間の通信形態は、ＤＢサーバ（データベース層）、ＡＰサーバ（ファンクション層）、ユーザインターフェイス（プレゼンテーション層）からなる３層構造とするのが好ましい。すなわち、建材メーカー１００のサーバ装置１０１においてＤＢサーバ及びＡＰサーバを備えるとともに、クライアント装置１１１ではユーザインターフェイス（ＷＥＢブラウザ等）のみを備えるように構成することができる。
【００７８】
図１Ｂは、本実施形態のオンライン受注システムを実施する他の態様を例示する図である。
【００７９】
図１Ｂに示す態様では、建材メーカー１００と独立して、建築基材の印刷装置１２２を有する塗装工場１２０と、建築基材の配送センター１３０とが存在している。
【００８０】
建材メーカー１００は、顧客である住宅供給業者１１０から建築基材の注文を受けると、塗装工場１２０に所定のデザインや注文情報などを引き渡して製造を依頼する。塗装工場１２０において製造された建築機材は、配送センター１３０に出荷され、発注元である住宅供給業者１１０の所定の宛先に配送される。
【００８１】
塗装工場１２０及び配送センター１３０は、それぞれ、クライアント装置１２１及び１３１を備えている。これらのクライアント装置は、上記同様にネットワークを通じて、あるいは専用線等による接続を利用して、建材メーカー１００のサーバ装置１０１と通信可能になっている。
【００８２】
その他、図１Ｂにおいて、図１Ａに示す各構成部分と同様のものは、同様に構成されているものとする。
【００８３】
[２] サーバ装置の構成
図２は、図１Ａ及び図１Ｂに示す建材メーカー１００のサーバ装置１０１の内部構成を概略的に示す機能ブロック図である。
【００８４】
図２において、サーバ装置１０１は、主制御部２００と、記憶部２０２と、受注管理部２０４と、デザイン管理部２０６と、ネットワークインターフェイス部２０８と、試作品管理部２１０と、本製品管理部２１２と、配送管理部２１４と、オンライン受注データベース２２０と、ＲＤＢＭＳ２２２とから構成されている。
【００８５】
主制御部２００は、ＣＰＵ、ＭＰＵ等の演算・制御処理装置から構成されており、予め記憶されているプログラム等に従って、本サーバ装置１０１内の各構成部分の動作及び各構成部分間のデータ通信を制御する。
【００８６】
記憶部２０２は、揮発性又は不揮発性の半導体記憶素子から構成されており、主制御部２００の作業領域として利用される他、本サーバ装置において取り扱う各種データやプログラムなどを記憶しておくことができる。また、磁気ディスク装置（ハードディスク）やリムーバブルディスクメディア（ＣＤ−Ｒ、ＭＯ等）などを利用する補助記憶装置をさらに備えていてもよい。
【００８７】
受注管理部２０４は、住宅供給業者１１０のクライアント装置１１１からの製品（本製品及び試作品）の注文を受け付け、注文された製品（本製品及び試作品）の製造及び配送を指示し、また、これらの処理に伴って、オンライン受注データベース２２０内の必要なデータを追加、更新、削除する。また、顧客である住宅供給業者１１０の情報を、オンライン受注データベース２２０内で管理する。
【００８８】
デザイン管理部２０６は、オンライン受注データベース２２０に記憶されている製品のデザインに関するデータを管理するとともに、住宅供給業者１１０のクライアント装置１１１に対して、製品デザインのシミュレーション機能を提供する。例えば、顧客が選択した建築基材のデザインを、住宅イメージに適用して施工イメージを生成する画像合成手段などを備えているものとする。
【００８９】
試作品管理部２１０は、住宅供給業者１１０のクライアント装置１１１からの注文に応じて、印刷装置１２２により建築基材の試作品の製造を行うのを管理する。具体的には、印刷装置１２２に対して、建築基材のデザインデータや印刷設定データなどを送信して、建築基材の試作品の製造を行うよう指示する。尚、図１Ｂに示す態様では、塗装工場１２０のクライアント装置１２１に対して上記の通信を行うものとする。
【００９０】
本製品管理部２１２は、住宅供給業者１１０のクライアント装置１１１からの注文に応じて、印刷装置１２２により建築基材の本製品の製造を行うのを管理する。具体的には、印刷装置１２２に対して、建築基材のデザインデータや印刷設定データなどを送信して、建築基材の本製品の製造を行うよう指示する。尚、図１Ｂに示す態様では、塗装工場１２０のクライアント装置１２１に対して上記の通信を行うものとする。
【００９１】
尚、試作品管理部２１０及び本製品管理部２１２は、印刷装置１２２の基本的な動作を制御する他、本サーバ装置１０１内に保持されている建築基材のデザインデータや印刷設定データに従って、印刷装置１２２に印刷を行わせる制御機能を含んだ、印刷装置１２２との適切な接続インターフェイスを備えているものとする。
【００９２】
本サーバ装置１０１と印刷装置１２２との間の接続インターフェイスとしては、一般的なＵＳＢ（Universal Serial Bus）やＩＥＥＥ１３９４、ＳＣＳＩ（Small Computer System Interface）などの外部機器接続インターフェイスを用いることができるが、これらに限定されるわけではない。
【００９３】
配送管理部２１４は、印刷装置１２２により製造された建築基材の本製品及び試作品を顧客である住宅供給業者１１０宛てに配送するのを管理する。（図１Ｂに示す態様では、配送センター１３０のクライアント装置１３１を通じて管理を行う。）
尚、受注管理部２０４、デザイン管理部２０６、試作品管理部２１０、本製品管理部２１２及び配送管理部２１４は、それぞれ独立したプログラム（又はプログラムモジュール）として構成することができる。これらの詳細な動作については後述する。
【００９４】
ネットワークインターフェイス部２０８は、本サーバ装置１０１とネットワーク１４０との通信を可能にするためのインターフェイスであり、例えば、ネットワーク１４０がインターネットである場合には、ＴＣＰ／ＩＰ等のプロトコルを利用した通信を行う機能を備えるＮＩＣ（Network Interface Card）などのネットワークアダプタ及びこれを駆動するためのソフトウェアから構成されるものである。
【００９５】
オンライン受注データベース２２０は、本実施形態のオンライン受注システムにおいてサーバ装置１０１がサービスを提供するのに必要となる各種のデータを記憶しているリレーショナル型のデータベース（ＲＤＢ）であり、その内部構成等の詳細については後述する。
【００９６】
ＲＤＢＭＳ２２２は、オンライン受注データベース２２０を操作するための基本的なデータベース管理システム（Relational Database Management System）であり、主制御部２００はＲＤＢＭＳ２２２に対して命令することにより、オンライン受注データベース２２０に対して、データの検索、追加、更新、削除等の所定の操作を行うことができるようになっている。
【００９７】
図２に示すように、サーバ装置１０１は、主制御部２００、記憶部２０２、受注管理部２０４、デザイン管理部２０６、ネットワークインターフェイス部２０８、試作品管理部２１０、本製品管理部２１２及び配送管理部２１４を含んだアプリケーションサーバ（ＡＰサーバ）と、オンライン受注データベース２２０及びＲＤＢＭＳ２２２を含んだデータベースサーバ（ＤＢサーバ）とから構成することができる。このＡＰサーバ及びＤＢサーバは、それぞれ、本クライアント−サーバシステムにおけるファンクション層及びデータベース層の機能をなすものであるが、物理的に同一のサーバ装置内に存在していてもよく、あるいは別々のサーバ装置として構成してもよい。
【００９８】
尚、図示しないが、サーバ装置１０１は、所定の情報を操作者に分かりやすい形態で表示するためのモニタ装置、スピーカ等を含んだ表示部や、本サーバ装置に対する操作者からの操作を受け付けるためのキーボード、マウス等を含んだ入力部などをさらに備えているのが好ましい。
【００９９】
[３] クライアント装置の構成
図３は、住宅供給業者１１０、及び図１Ｂに示す配送センター１３０の各クライアント装置１１１及び１３１の内部構成を概略的に示す機能ブロック図である。
【０１００】
図３において、各クライアント装置１１１及び１３１は、制御部３００と、記憶部３０２と、表示部３０４と、入力部３０６と、ネットワークインターフェイス部３０８と、ユーザインターフェイス部３１０とから構成されている。
【０１０１】
制御部３００は、ＣＰＵ、ＭＰＵ等の演算処理装置から構成されており、予め記憶されているプログラム等に従って、各クライアント装置１１１及び１３１内の各構成部分の動作及び各構成部分間のデータ通信を制御する。
【０１０２】
記憶部３０２は、揮発性又は不揮発性の半導体記憶素子から構成されており、制御部３００の作業領域として利用される他、各クライアント装置１１１及び１３１において取り扱う各種データやプログラムなどを記憶しておくことができる。また、磁気ディスク装置（ハードディスク）やリムーバブルディスクメディア（ＣＤ−Ｒ、ＭＯ等）などを利用する補助記憶装置をさらに備えていてもよい。
【０１０３】
表示部３０４は、モニタ装置、スピーカ等を含み、所定の情報を各クライアント装置１１１及び１３１の操作者に分かりやすい形態で表示するためのものである。入力部３０６は、本クライアント装置に対する操作者からの操作を受け付けるものであり、一般的には、キーボード及びマウスを含んでいるものとする。
【０１０４】
ネットワークインターフェイス部３０８は、各クライアント装置１１１及び１３１が外部の通信回線を利用して、建材メーカー１００のサーバ装置１０１等と通信を行うための機能を提供する。住宅供給業者１１０のクライアント装置１１１では、ネットワーク１４０に接続するインターフェイスであり、例えば、ネットワーク１４０がインターネットである場合には、ＴＣＰ／ＩＰ等のプロトコルを利用した通信を行う機能を備えるＮＩＣ（Network Interface Card）などのネットワークアダプタ及びこれを駆動するためのソフトウェアから構成されるものである。配送センター１３０のクライアント装置１３１の場合には、上記同様のネットワーク接続用のインターフェイスや、あるいは専用線等に接続するためのインターフェイスを備えているものとする。
【０１０５】
ユーザインターフェイス部３１０は、建材メーカー１００のサーバ装置１０１から通信回線を通じて提供される各種サービスをユーザに提供する機能（クライアント−サーバシステムにおけるプレゼンテーション層の機能）を備えている。具体的には、建材メーカー１００のサーバ装置１０１から受信した各種データや情報を所定の形式で、表示部３０４等を介してユーザに表示し、あるいは記憶部３０２に記憶させ、また、ユーザが入力部３０６から入力した各種データや情報を建材メーカー１００のサーバ装置１０１に送信する機能を有しているプログラム等として実装することができる。（例えば、ＷＥＢブラウザ等のプログラムであってもよい。）
【０１０６】
図４は、図１Ｂに示す塗装工場１２０のクライアント装置１２１の内部構成を概略的に示す機能ブロック図である。
【０１０７】
図４において、クライアント装置１２１は、制御部３００と、記憶部３０２と、表示部３０４と、入力部３０６と、ネットワークインターフェイス部３０８と、ユーザインターフェイス部３１０と、印刷装置制御部４００とから構成されている。
【０１０８】
ここで、図に示す各構成部分のうち、制御部３００、記憶部３０２、表示部３０４、入力部３０６、ネットワークインターフェイス部３０８及びユーザインターフェイス部３１０については、図３に示すものと同様に構成することができるので、これらについては説明を省略する。
【０１０９】
印刷装置制御部４００は、塗装工場１２０に備えられた建築基材を印刷するための印刷装置１２２と接続されており、印刷装置１２２の基本的な動作を制御する他、クライアント装置１２１内に保持されている建築基材のデザインデータや印刷設定データに従って、印刷装置１２２に印刷を行わせることができるようになっている。
【０１１０】
印刷装置制御部４００と印刷装置１２２との間の接続インターフェイスとしては、一般的なＵＳＢ（Universal Serial Bus）やＩＥＥＥ１３９４、ＳＣＳＩ（Small Computer System Interface）などの外部機器接続インターフェイスを用いることができるが、これらに限定されるわけではない。
【０１１１】
[４] サーバ装置のオンライン受注データベースの構成
図５は、図２に示すサーバ装置１０１のオンライン受注データベース２２０の論理構成を概略的に示すテーブル構成図である。
【０１１２】
図５において、オンライン受注データベース２２０は、顧客情報テーブルと、建築基材デザインテーブルと、建築物テーブルと、コーディネイトテーブルと、受注テーブルと、配送テーブルとを含んでいる。
【０１１３】
顧客情報テーブルは、顧客ＩＤ（主キー）、顧客名、パスワード、その他顧客（すなわち各住宅供給業者１１０）に関する情報を含んでいる。このテーブルにおいて、顧客は、顧客ＩＤにより一意に識別されるようになっている。
【０１１４】
建築基材デザインテーブルは、建築基材のデザインデータを記憶しており、具体的には、デザインＩＤ（主キー）と、そのデザインの画像データ、関連するテキスト情報などを含んでいるものとする。
【０１１５】
建築物テーブルは、建築基材を適用する建築物（住宅等）のデータを記憶しており、具体的には、建築物ＩＤ（主キー）と、その建築物の設計データ、建築図面（平面図、立面図、パース図等）データ、仕様データなどを含んでいるものとする。
【０１１６】
尚、建築基材デザインテーブル及び建築物テーブルに記憶される建築基材及び建築物に関するデータは、後に説明する施工シミュレーションにおいて施工イメージを生成するために用いられるものであるため、これに適したデータ形式に加工された状態で記憶されているものとする。
【０１１７】
コーディネイトテーブルは、建築基材デザインテーブルに記憶されている建築基材のデザインデータを、建築物テーブルに記憶されている建築物データに適用して生成される施工イメージ（後述する）を記憶するものであり、具体的には、各施工イメージを一意に識別するコーディネイトＩＤ（主キー）と、その施工イメージを生成した顧客の顧客ＩＤ、その他必要な情報を含んでいる。
【０１１８】
受注テーブルは、顧客から受注した建築基材の試作品又は本製品の製造に関する情報を記憶するものである。受注テーブルは、受注ＩＤ（主キー）、顧客ＩＤ、受付日、注文の種別（試作注文か本注文か）、コーディネイトＩＤ、進捗状況などを情報を含んでおり、また必要に応じて、各注文に関して料金、納品条件、契約情報などの情報も含んでいるものとする。
【０１１９】
配送テーブルは、受注ＩＤ（主キー）、顧客ＩＤ、配送予定、配送先などの、受注した本製品、試作品の配送に関する情報を含んでいる。
【０１２０】
[５] オンライン受注システムの利用形態
次に、上記した本実施形態のオンライン受注システムの利用形態について、詳細に説明する。
【０１２１】
[５.１] クライアント装置によるログイン
住宅供給業者１１０は、クライアント装置１１１を用いて、建材メーカー１００のサーバ装置１０１にアクセスする。予め本システムに登録してある住宅供給業者１１０は、自己の顧客ＩＤとパスワードを送信することにより、本システムへのログインを行うことができる。これに応じて、サーバ装置１０１の受注管理部２０４は、オンライン受注データベース２２０の顧客情報テーブルを照会し、住宅供給業者１１０によるログインの認証を行う。
【０１２２】
また、未登録の住宅供給業者１１０は、サーバ装置１０１にアクセスした後、本システムの利用登録を行うことができるようになっている。受注管理部２０４は、利用登録を行った住宅供給業者１１０の情報を、オンライン受注データベース２２０の顧客情報テーブルに登録する。
【０１２３】
[５.２] 施工シミュレーション
本システムにログインした住宅供給業者１１０は、オンライン受注データベース２２０に記憶されている建築基材や住宅のデータを用いて、施工シミュレーションを行うことができる。
【０１２４】
図６は、本システムにおいて行う施工シミュレーションの処理の流れを示すフローチャートである。尚、これらの一連の処理は、建材メーカー１００のサーバ装置１０１のデザイン管理部２０６によって提供されるものとする。
【０１２５】
施工シミュレーションでは、まず、建築基材のデザインを選定する。建築基材のデザインは、柄の構成の選定（ステップＳ６０１）、印刷模様の選定（ステップＳ６０２）、色彩の選定（ステップＳ６０３）の順で行う。各デザインのデータは、オンライン受注データベース２２０の建築基材デザインテーブルに記憶されているものである。
【０１２６】
これらの選定を行うと、その選定されたデザインを有する建築基材のイメージが表示される（ステップＳ６０４）。住宅供給業者１１０は、このイメージを確認するとともに、ステップＳ６０１〜Ｓ６０３で選定した各デザインの修正を行うことができる（ステップＳ６０５）。
【０１２７】
図７は、住宅供給業者１１０のクライアント装置１１１において、上記した建築基材のデザインの選定を行う画面の表示例を示す図である。尚、本実施形態において、建築基材のデザインとして選定できる項目は、上記で例示した柄の構成、印刷模様及び色彩に限定されるわけではなく、これらに追加して、あるいはこれらに代えて、他の様々なデザイン選定方法を取ることができる。
【０１２８】
ステップＳ６０５において、建築基材のデザイン選定を確定させると、続いて、その建築基材を用いた施工イメージの作成処理に進むことができる。あるいは、施工イメージの作成処理に進まず、上記で選定した建築基材デザインを保存して、施工シミュレーションを終了することもできる（ステップＳ６０７）。住宅供給業者１１０は、施工イメージの作成処理に進むかどうかを決定する（ステップＳ６０６）。ステップＳ６０７に進むと、上記建築基材デザインは、オンライン受注データベース２２０のコーディネイトテーブルにおいて、新たなレコードとして保存される。
【０１２９】
施工イメージの作成処理に進むと、上記で選定した建築基材デザインを適用する建築物データを選定する（ステップＳ６０８）。建築物データは、オンライン受注データベース２２０の建築物テーブルに記憶されているものである。
【０１３０】
建築物データが選定されると、その建築物データに対して、選定した建築基材デザインの貼り付けを行う（ステップＳ６０９）。住宅供給業者１１０は、この貼り付けを自由に行うことができるものとし、例えば、１つの建築物データに対して複数の建築基材デザインを適用することができるようになっている。（この場合には、予め複数の建築基材デザインを選定しておくことになる。）
【０１３１】
建築基材デザインの貼り付けが完了すると、施工イメージが表示される（ステップＳ６１０）。この施工イメージは、立面図、平面図、パース図などで表示されるものであり、これらを切り替えて表示することができるようにしておくのが好ましい。住宅供給業者１１０は、この施工イメージを確認するとともに、ステップＳ６０８に戻って建築物データの選定し直し、あるいはステップＳ６０９に戻って建築基材の貼り付けの修正を行うことができる（ステップＳ６１１）。
【０１３２】
図８は、住宅供給業者１１０のクライアント装置１１１において、上記した施工イメージの示す画面の表示例を示す図である。この図で示す例では、建築物の１階部分と２階部分に異なる建築基材を用いているが、これに限らず、様々な貼り付けを行うことができるものとする。
【０１３３】
ステップＳ６１１において、施工イメージを確定させると、その施工イメージ（建築物データとそれに貼り付けられている建築基材デザインのデータとを含む）は、オンライン受注データベース２２０のコーディネイトテーブルにおいて、新たなレコードとして保存されて、施工シミュレーションは終了する（ステップＳ６１２）。
【０１３４】
尚、施工イメージのデータ及び建築基材デザインのデータは、オンライン受注データベース２２０のコーディネイトテーブルに記憶されているものである。また、以降の処理において、住宅供給業者１１０による建築基材の注文は、コーディネイトテーブルのコーディネイトＩＤ（注文の対象となる建築基材デザインを一意に識別可能である）により識別され管理されるものとする。
【０１３５】
また、住宅供給業者１１０は、自己が作成した施工イメージ及び建築基材デザインを自由に編集し、追加し又は削除することができるものとする。さらには、オンライン受注データベース２２０の建築物テーブルに記憶される建築物データや、建築基材デザインテーブルに記憶される建築基材のパターンデータなどについても、住宅供給業者１１０が独自に作成し、そのデータを建材メーカー１００のサーバ装置１０１にアップロードすることにより、オンライン受注データベース２２０の上記各テーブルに記憶させることが可能となっているのが好ましい。
【０１３６】
[５.３] 試作品の注文
本システムにおいて、住宅供給業者１１０は、施工シミュレーションによりデザインを選定した建築基材の試作品を注文することができる。
【０１３７】
図９は、本システムにおいて行われる試作品の注文処理の流れを示すフローチャートである。尚、これらの一連の処理は、建材メーカー１００のサーバ装置１０１の受注管理部２０４によって提供されるものとする。
【０１３８】
住宅供給業者１１０は、まず、上記した施工シミュレーションを行って、オンライン受注データベース２２０に記憶してある建築基材デザインの中から、注文するものを選択する。
【０１３９】
保存してある施工イメージから選択する場合には、施工イメージの一覧が表示されるので（ステップＳ９０１）、住宅供給業者１１０は、表示された施工イメージの中から１つを選択し表示させて（ステップＳ９０２）、その施工イメージ中に貼り付けられている建築基材デザインを選択する（ステップＳ９０３）。
【０１４０】
保存してある建築基材デザインから選択する場合には、建築基材デザインが一覧表示されるので（ステップＳ９０４）、住宅供給業者１１０は、その中から選択を行う（ステップＳ９０５）。
【０１４１】
あるいは、図示しないが、住宅供給業者１１０は、上記したコーディネイトＩＤを指定することにより、施工イメージ又は建築基材デザインを直接選択して、注文対象の選択を行うこともできる。
【０１４２】
建築基材デザインを選択すると、住宅供給業者１１０は、詳細な注文情報、例えば、注文個数、希望納期、配送先、試作品である旨、などを入力することにより、注文を行うことができる（ステップＳ９０６）。
【０１４３】
試作品の注文を受けると、受注管理部２０４は、オンライン受注データベース２２０の受注テーブルにおいて、当該注文情報を記憶した新たなレコードを作成する。受注テーブルでは、各注文が受注ＩＤにより一意に識別されるようになっているので、以下の製造及び配送処理においては、各注文はこの受注ＩＤによって管理されるものとする。また、この受注ＩＤを注文受付番号として、住宅供給業者１１０に提示するのが好ましい。
【０１４４】
[５.４] 試作品の製造及び配送
試作品の注文を受けると、受注管理部２０４は、試作品管理部２１０を通じて、印刷装置１２２に試作品の製造を指示する。具体的には、上記において、住宅供給業者１１０が注文した建築基材デザインのデータと、注文情報のうち必要なデータ（少なくとも注文個数を含む）とを印刷装置１２２に送信して、建築基材の印刷を行わせる（ステップＳ９０７）。尚、図１Ｂに示す態様では、塗装工場１２０のクライアント装置１２１に対して、試作品の製造の指示を送信する。
【０１４５】
印刷装置１２２から（あるいは、塗装工場１２０のクライアント装置１２１から）試作品の製造が完了したことの通知を受けると、受注管理部２０４は、配送管理部２１４を通じて、配送センター１３０にその試作品の配送を指示する（ステップＳ９０８）。この配送指示には、上記において、住宅供給業者１１０が入力した注文情報のうち必要なデータ（配送先を少なくとも含んでいる）が含まれるものとする。尚、図１Ｂに示す態様では、配送センター１３０のクライアント装置１３１に対して、当該試作品の配送の指示を送信する。
【０１４６】
配送センター１３０から、注文された試作品の発送が完了したことの通知を受けると、受注管理部２０４は、注文者である住宅供給業者１１０のクライアント装置１１１に対して、試作品の発送を行ったことを通知する（ステップＳ９０９）。この通知は、例えば、クライアント装置１１１にへの電子メールの送信により行うこともできるし、あるいは、住宅供給業者１１０が次回本システムにログインした際に、画面に表示されるようにしてもよい。
【０１４７】
[５.５] 本製品の注文
本システムにおいて、住宅供給業者１１０は、施工シミュレーションによりデザインを選定した建築基材の試作品を受け取った後、その出来を検討し、本製品の注文を行うかどうかを決定することができる。
【０１４８】
図１０は、本システムにおいて、住宅供給業者１１０が試作品を受け取った後、本製品の注文を行う処理の流れを示すフローチャートである。上記同様、これらの一連の処理は、建材メーカー１００のサーバ装置１０１の受注管理部２０４によって提供されるものとする。
【０１４９】
住宅供給業者１１０は、再び本システムにアクセスし、上記において付与された注文受付番号を入力するなどして、当該試作品を特定し、その建築基材デザインの承認を行う（ステップＳ１００１）。
【０１５０】
住宅供給業者１１０が、当該試作品の建築基材デザインを気に入らず、あるいは何らかの理由で本製品の注文に進むことを希望しない場合には、ステップＳ１００１において、当該建築基材デザインを承認しないと選択し、当該建築基材デザインの保存又は廃棄した後（ステップＳ１００２）、さらなる施工シミュレーションを行うことができる（ステップＳ１００３）。
【０１５１】
ステップＳ１００１において、住宅供給業者１１０が当該建築基材デザインを承認した場合には、本製品の注文処理に進み、住宅供給業者１１０は、詳細な注文情報、例えば、注文個数、希望納期、配送先、本製品である旨、などを入力するよう求められる（ステップＳ１００４）。
【０１５２】
本製品の注文を受けると、受注管理部２０４は、オンライン受注データベース２２０の受注テーブルにおいて、当該試作品の受注レコード（受注ＩＤにより特定される）に、上記の本製品注文情報を書き加える。
【０１５３】
[５.６] 本製品の製造及び配送
本製品の注文を受けると、受注管理部２０４は、本製品管理部２１２を通じて、印刷装置１２２に本製品の製造を指示する。具体的には、上記において、住宅供給業者１１０が注文した建築基材デザインのデータと、注文情報のうち必要なデータ（少なくとも注文個数を含む）とを印刷装置１２２に送信して、建築基材の印刷を行わせる（ステップＳ１００５）。尚、図１Ｂに示す態様では、塗装工場１２０のクライアント装置１２１に対して、本製品の製造の指示を送信する。
【０１５４】
印刷装置１２２から（あるいは、塗装工場１２０のクライアント装置１２１から）本製品の製造が完了したことの通知を受けると、受注管理部２０４は、配送管理部２１４を通じて、配送センター１３０にその本製品の配送を指示する（ステップＳ１００６）。この配送指示には、上記において、住宅供給業者１１０が入力した注文情報のうち必要なデータ（配送先を少なくとも含んでいる）が含まれるものとする。尚、図１Ｂに示す態様では、配送センター１３０のクライアント装置１３１に対して、当該本製品の配送の指示を送信する。
【０１５５】
配送センター１３０から、注文された本製品の発送が完了したことの通知を受けると、受注管理部２０４は、注文者である住宅供給業者１１０のクライアント装置１１１に対して、本製品の発送を行ったことを通知する（ステップＳ１００７）。この通知は、例えば、クライアント装置１１１にへの電子メールの送信により行うこともできるし、あるいは、住宅供給業者１１０が次回本システムにログインした際に、画面に表示されるようにしてもよい。
【０１５６】
また、受注管理部２０４は、上記の通知とともに、オンライン受注データベース２２０の受注テーブルから上記注文の料金等の支払いに関する情報を算出し、住宅供給業者１１０のクライアント装置１１１に請求書を送信することもできる。
【０１５７】
[５.７] 進捗状況の照会
住宅供給業者１１０は、本システムにおいて注文した建築基材の試作品又は本製品について、その進捗状況の照会を行うことができる。
【０１５８】
具体的には、住宅供給業者１１０がクライアント装置１１１により特定の注文について進捗状況照会の操作を行う（例えば、注文受付番号として通知された注文ＩＤを入力すればよい）と、受注管理部２０４は、オンライン受注データベース２２０の受注テーブルを参照し、当該注文レコードの進捗状況を取得し、クライアント装置１１１に進捗状況を送信する。
【０１５９】
クライアント装置１１１に通知される進捗状況は、例えば、試作品又は本製品が製造中であるとか、製造完了予定日がいつであるとか、製造が完了し配送準備中であるとか、発送予定日がいつであるとかいう情報である。
【０１６０】
尚、受注管理部２０４は、試作品管理部２１０、本製品管理部２１２及び配送管理部２１４から注文に関する情報を受け取る度に、オンライン受注データベース２２０の受注テーブルにおける当該注文レコードの進捗状況を更新しているものとする。
【０１６１】
また、これらの進捗状況は、住宅供給業者１１０からの照会がなくとも、所定のタイミングで（例えば、試作品又は本製品の製造完了時、発送時など）、電子メール等で自動的に通知されるようにしてもよい。
【０１６２】
[５.８] その他
本実施形態では、建材メーカー１００のサーバ装置１０１の構成例として図２に示すものを挙げているが、他の構成例も適用可能である。
【０１６３】
例えば、図２に示す試作品管理部２１０及び本製品管理部２１２を、図１Ｂに示す塗装工場１２０のクライアント装置１２１に含め、配送管理部２１４を図１Ｂに示す配送センター１３０のクライアント装置１３１に含めるネットワーク構成を採用することもできる。この場合にも、上記した本実施形態のオンライン受注システムにおける全ての機能を等しく発揮することが可能である。
【０１６４】
[６] むすび
以上、本発明の建築基材のオンライン受注システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【０１６５】
本発明のオンライン受注システムは、印刷を施した建築基材をオンラインで受注及び販売するのに有効に利用することが可能であるが、これに限定されるわけではなく、例えば、建築基材以外のあらゆる印刷体のオンライン受注及び販売を行うシステムに適用可能である。
【図面の簡単な説明】
【０１６６】
【図１Ａ】本発明のオンライン受注システムの一実施形態のシステム構成例を概略的に示す図であり、建材メーカー１００が建築基材の印刷装置１２２と建築基材の配送センター１３０とを含んでいる態様を示す図である。
【図１Ｂ】本発明のオンライン受注システムの一実施形態のシステム構成例を概略的に示す図であり、建材メーカー１００と独立して、建築基材の印刷装置１２２を有する塗装工場１２０と、建築基材の配送センター１３０とが存在する態様を示す図である。
【図２】建材メーカー１００のサーバ装置１０１の内部構成を概略的に示す機能ブロック図である。
【図３】住宅供給業者１１０、及び図１Ｂに示す配送センター１３０の各クライアント装置１１１及び１３１の内部構成を概略的に示す機能ブロック図である。
【図４】図１Ｂに示す塗装工場１２０のクライアント装置１２１の内部構成を概略的に示す機能ブロック図である。
【図５】図２に示すサーバ装置１０１のオンライン受注データベース２２０の論理構成を概略的に示すテーブル構成図である。
【図６】本発明のオンライン受注システムにおいて行う施工シミュレーションの処理の流れを示すフローチャートである。
【図７】住宅供給業者１１０のクライアント装置１１１において、建築基材のデザインの選定を行う画面の表示例を示す図である。
【図８】住宅供給業者１１０のクライアント装置１１１において、施工イメージの示す画面の表示例を示す図である。
【図９】本発明のオンライン受注システムにおける試作品の注文処理の流れを示すフローチャートである。
【図１０】本発明のオンライン受注システムにおいて、住宅供給業者１１０が試作品を受け取った後、本製品の注文を行う処理の流れを示すフローチャートである。
【符号の説明】
【０１６７】
１００  建材メーカー
１１０  住宅供給業者
１２０  塗装工場
１２２  建築基材の印刷装置
１３０  建築基材の配送センター
１４０  ネットワーク
２００  主制御部
２０２  記憶部
２０４  受注管理部
２０６  デザイン管理部
２０８  ネットワークインターフェイス部
２１０  試作品管理部
２１２  本製品管理部
２１４  配送管理部
２２０  オンライン受注データベース
２２２  ＲＤＢＭＳ（リレーショナルデータベース管理システム）
３００  制御部
３０２  記憶部
３０４  表示部
３０６  入力部
３０８  ネットワークインターフェイス部
３１０  ユーザインターフェイス部
４００  印刷装置制御部
【図１Ａ】
2005050237.tif 000003
【図１Ｂ】
2005050237.tif 000004
【図２】
2005050237.tif 000005
【図３】
2005050237.tif 000006
【図４】
2005050237.tif 000007
【図５】
2005050237.tif 000008
【図６】
2005050237.tif 000009
【図７】
2005050237.tif 000010
【図８】
2005050237.tif 000011
【図９】
2005050237.tif 000012
【図１０】
2005050237.tif 000013